(57)【特許請求の範囲】
【請求項１】
安定化すべき地山の設置面に定置されるブロックと、このブロックを固定的に支持するために地中に定着されたアンカーの上端部との結合部において、ブロックに嵌め込まれた支持台座を有し、ブロックと密接しているこの支持台座のテーパー孔及び外周面が地山方向に先細りのテーパー形状を有していると共に支持台座のテーパー孔がアンカー上端部を支持する支圧盤体と共同し、それによってアンカーの緊張力を支圧盤体を介して支持台座のテーパー孔の面へ伝達し、支持台座のテーパー孔の面にもたらされる荷重を支持台座のテーパー形状外周面から略直角方向に向かう力に分散してブロックに受け持たせるようにした結合部構造において、上記の支持台座がブロックの上面もしくはその近傍に至る範囲まで延びていることを特徴とする、地山斜面安定化用ブロックとこのブロックを地山に固定するためのアンカーとの結合部構造。
【請求項２】
上記支圧盤体と支持台座とが一体的に形成されていることを特徴とする、請求項１に記載の結合部構造。
【請求項３】
上記支持台座の上縁部にフランジが設けてあり、このフランジがブロック上面に載置されていることを特徴とする、請求項１または２に記載の、結合部構造。
【請求項４】
上記支持台座の内周側に地山方向に先細りのテーパー孔が設けてあり、このテーパー孔にアンカー上端部を支持する支圧盤体が嵌合していることを特徴とする、請求項１または３に記載の結合部構造。
【請求項５】
支圧盤体上に突出するアンカー上端部が支持台座の上縁より内側に配置されていることを特徴とする、請求項１−４のいずれか１項に記載の結合部構造。
【発明の詳細な説明】
【０００１】
【発明の属する技術分野】
本発明は、地山斜面の安定化のために同斜面に固定的に設置されるブロックに関するものであり、特に、このブロックを地山に固定的に支持するために地山に定着されたアンカーと、ブロックとの結合部の構造に関する。
【０００２】
【従来の技術】
地山斜面安定化のために使用されるブロックは、例えば特開平６−１７４２５号公報に示されているものが公知である。この公知のブロックは図７に示すように、同ブロック１中央部に設けたアンカーとの結合部２に、上下に順に凹陥部２ａ、テーパー孔２ｂ及び透孔２ｃを有しており、下方へ向かって先細りのテーパー孔２ｂは円錐筒状補強材２ｄの内周面によって形成されている。テーパー孔２ｂには、この孔と実質的に同じテーパーを有する外周面を持つ截頭円錐台状のアンカー頭部用支圧盤体２ｅが嵌め込まれている。
【０００３】
地山Ｇへのアンカー３の定着は、地山Ｇを切り取って形成した設置面Ｇ１から地中へ向けて、ボーリングマシーン等の穿孔機によってアンカー孔Ｇ３を削孔し、次いでアンカー３をアンカー孔Ｇ３に挿入し、アンカー基部３ｂをアンカー孔Ｇ３内に注入したセメント等の固結材３ｃによって固定することによって達成される。
【０００４】
ブロック１を地山設置面に固定的に設置するには、定着したアンカー３に適合するようにブロックを設置面Ｇ１上の所定の位置に配置し、次にアンカー３の上端部を、透孔２ｃ、及びテーパー孔２ｂ内の支圧盤体２ｄに設けた孔を通してその上方へ突き出させ、突き出したアンカー上端部を所定の牽引装置で牽引してアンカーを緊張し、その状態でアンカー上端部を掴み部材４で掴み、且つ締付け手段５を操作して掴み部材４を支圧盤体２ｄに対して押し付け、それによってアンカーの緊張力をブロック１に伝えてブロックを設置面Ｇ１に対して押し付けて固定するものである。
【０００５】
【発明が解決しようとする課題】
このようにブロックとアンカーとの結合部を構成することにより、アンカーから結合部へもたらされる荷重は、アンカー上端部用支圧盤体２ｄから円錐筒状補強材２ｅへ伝達され、次いで同補強材からブロック内へ分散されるので、ブロックの一部分に荷重が集中することを防止でき、その結果ブロックの厚さを薄くすることができる。しかしながら、ブロックの厚さを更に薄くできれば、ブロックの製造コスト、運搬費用などをより低減することができ、取扱もより容易になる。
【０００６】
本発明の課題は、上記のような結合部構造を改良してブロックの厚さを更に薄くできるようにすることである。
【０００７】
【課題を解決するための手段】
請求項１に記載の発明によれば、上記課題は次のようにして解決される。即ち、安定化すべき地山の設置面に定置されるブロックと、このブロックを固定的に支持するために地中に定着されたアンカーの上端部との結合部において、ブロックに嵌め込まれた支持台座を有し、ブロックと密接しているこの支持台座のテーパー孔及び外周面が地山方向に先細りのテーパー形状を有していると共に支持台座のテーパー孔がアンカー上端部を支持する支圧盤体と共同し、それによってアンカーの緊張力を支圧盤体を介して支持台座のテーパー孔の面へ伝達し、支持台座のテーパー孔の面にもたらされる荷重を支持台座のテーパー形状外周面から略直角方向に向かう力に分散してブロックに受け持たせるようにした結合部構造において、上記の支持台座がブロックの上面もしくはその近傍に至る範囲まで延びているようにする。
【０００８】
この構成によれば、支持台座から加えられる荷重がブロックの厚さ全体に分散し、ブロックの厚さをこれまでより薄くしても充分耐力を有するという作用効果が得られる。
【０００９】
請求項２に記載の発明によれば、上記支圧盤体と支持台座とが一体的に形成されているので、部品点数が少なくなり、部品の調達及び管理が容易となり、また運搬にも有利である。
【００１０】
請求項３に記載の発明によれば、上記支持台座の上縁部にフランジが設けてあり、このフランジがブロック上面に載置されているので、フランジからも荷重がブロックへ伝達分散される。
【００１１】
請求項４に記載の発明によれば、上記支持台座の内周側に地山方向に先細りのテーパー孔が設けてあり、このテーパー孔にアンカー上端部を支持する支圧盤体が嵌合しているので、支圧盤体を担持すべき荷重に応じた適当な厚さ寸法のものを選択して使用することができる。
【００１２】
請求項５に記載の発明によれば、支圧盤体上に突出するアンカー上端部が支持台座の上縁より内側に配置されているので、落石などから、アンカー上端部を掴み且つ支える部材を保護するという効果が併せて得られる。
【００１３】
【発明の実施の形態】
図１は本発明が適用されるブロックの１例を平面図で示しており、同ブロック１は中央部１ａから四方へ延びる脚部１ｂを有する十字形を呈し、底部は上記の地山設置面Ｇ１に接触するように平坦面となっている。中央部１ａには上記のアンカー３との結合部２が設けてある。
【００１４】
図１のＡ−Ａ線での拡大尺断面図である図２は、本発明の結合部構造の一実施形態を示しており、図中６は結合部２においてブロック１内に埋設された、または嵌め込まれた支持台座であって、この支持台座６はブロック１の底面１ｃの方向即ち地山方向に先細りのテーパー形状を呈する外周面６ｂを有しており、この外周面はブロック１の上面１ｄまで、若しくはその近傍まで延びている。この外周面は、図示のように平滑なテーパー面であることが好ましいが、凹凸があっても全体的にテーパー状になっていればよい。
【００１５】
支持台座６の下部は支圧盤体７となされており、この支圧盤体にはアンカー３挿通用の孔７ａが設けてあり、また支圧盤体の上面はアンカー上端部掴み手段を支持するように平坦になされている。
【００１６】
支圧盤体７の下方には、ブロック１内に透孔８が設けており、この透孔は補強スリーブ８ａによって保護されている。上記のアンカー挿通用孔７ａと透孔８ａとは連通しており、アンカー上端部がこれら連通孔を通って支圧盤体７の上方へ突出するのを許容している。なお、図２中、１ｅはＰＳコンクリート製ブロック１中に配されている鋼線または鋼棒である。場合によっては、透孔８の長さ部分に相当するブロック部分を廃して、従って透孔８を設けずに支持台座６の最下端とブロック底面とを同じレベルにしてもよい。その場合、もちろん、ブロック中の鋼線または鋼棒は支持台座６の最下部より上の位置に配置されることになる。
【００１７】
支圧盤体７の上方に突出したアンカー上端部を掴むための上記の手段は、例えば特開昭５１−１４１４４０号公報に示されている公知手段であって、この手段は、くさび４ａを打ち込むことによってアンカー上端部３ａと結合されたコーン４と、このコーンの外周面に形成された雄ネジに螺合する締め付け用ナット５とを有しており、この締め付け用ナットはアンカーの締め付け力によって支圧盤体７の上面に押し当てられている。それによってブロックは地山設置面上に押し当てられ固定的に設置される。長期間経過後にアンカーの緊張が緩んだときには、コーン４の外周面に設けた雄ネジにジャッキ等の緊張工具に設けた雌ネジ部材を螺合し、緊張工具を作動させてコーン４に結合されたアンカー３を牽引し、その際にコーン４と一体的に引かれて支圧盤体７から浮いた状態になる締め付け用ナット５をコーンに対して回して支圧盤体方向へ移動させ、接触後に緊張工具による牽引を解除するものである。
【００１８】
このようにしてブロックを地山に押し付けて固定した結果アンカー３に発生する張力ないし荷重は、支圧盤体７を介して支持台座６へ伝達され、更にブロックへ伝達されるが、支持台座６からブロック１への荷重の伝達は支持台座のテーパー形状外周面全面からブロック１の軸線に対して斜めの方向へ行われ、したがってブロックは荷重を広い範囲に分散して受け止めることになり、特に支持台座のテーパー形状外周面がブロック１の上面１ｄ若しくはその近傍まで延びているために、荷重が効果的にブロック内に分散され、ブロック厚を薄くしても、必要な荷重に対応できるものである。
【００１９】
図３は、支持台座６の内周側に地山方向に先細りのテーパー孔６ａが設けてあり、このテーパー孔に円錐台形状の支圧盤体７が嵌合している実施形態を示している。支圧盤体７は、ほぼ支持台座６下端から上端までの厚さを有しており、そのため、ナット５から支圧盤体７に伝達される荷重は支持台座６のテーパー孔６ａの全面に均一に伝えられ、ブロック内へ分散されるので、大荷重に耐える構成となっている。
【００２０】
図４は、支持台座６の上縁部にフランジ６ｃを設け、このフランジをブロック１の上面に載置し、このフランジからもブロックに向けて荷重を分散させる実施形態を示し、それと共に図３に示した実施形態における支圧盤体７を支持台座６のテーパー孔６ａの上半部で支持するようにした場合の態様を示している。
【００２１】
図５は、支持台座６がフランジ６ｃを有する構成において、支圧盤体７をテーパー孔６ａの中間部分で支持すると共に、アンカー頭部及び同頭部を保持する手段、即ちコーン４及びナット５もテーパー孔６ａ内に納め、それによってアンカー上端部及びその保持部材を落石等から保護する効果を併せ持たせるようにした実施形態を示している。
【００２２】
図６は、図３に示した実施形態において、支圧盤体７の上面にアンカー頭部保持手段を納めるための凹陥部７ｂを設け、この保持手段を保護するようにした実施形態を示すものである。
【００２３】
【発明の効果】
本発明は、以上説明したように構成されているので、ブロックはその厚さが薄くても所要の強度を得ることかでき、従ってコンクリート材料の使用量を少なくすることができるので、製造コストが下がり、また軽量化されるので、工場生産品であるブロックを現場へ搬送するための経費及び現場での運搬及び取扱経費が下がり、経済的なブロックが得られるという効果をもたらすものである。
【図面の簡単な説明】
【図１】本発明が適用されるブロックの１例を示す平面図である。
【図２】本発明の結合部構造の１実施形態を図１中のＡ−Ａ線に沿って切断した状態で示す拡大尺断面図である。
【図３】本発明の他の実施形態を示す、図１と同様の断面図である。
【図４】本発明の更に他の実施形態を示す、図１と同様の断面図である。
【図５】本発明の更に他の実施形態を示す、図１と同様の断面図である。
【図６】本発明の更に他の実施形態を示す、図１と同様の断面図である。
【図７】従来の結合部構造を地山に設置した状態のブロックの中央縦断面で示す図である。
【符号の説明】
１  ブロック
２  結合部
３  アンカー
６  支持台座
６ａ  内周面
６ｂ  外周面
６ｃ  フランジ
７  支圧盤体
７ａ  孔
８  透孔
【図１】
0003895832.tif 000002
【図２】
0003895832.tif 000003
【図３】
0003895832.tif 000004
【図４】
0003895832.tif 000005
【図５】
0003895832.tif 000006
【図６】
0003895832.tif 000007
【図７】
0003895832.tif 000008